(57)【要約】【課題】全体処理による使用と局所処理による使用の両方に適している送風式薬剤放散装置とする。【解決手段】ファン１３と薬剤１４を有し、そのファン１３を駆動することで吸込口１１から空気を吸い込んで薬剤を含有した空気として吐出口１２から吐出する装置本体１の長手方向端部と、流入口２０と流出口２１を有した長尺な扁平な筒形状の放出体２の長手方向端部を、連結手段３で回転自在に連結し、その放出体２を装置本体１と直線状となった直線状姿勢とすることで、その放出体２の流出口２１から薬剤を含有した空気を装置本体１と離れた位置に放出できると共に、放出体２を装置本体１と重なり合う格納姿勢に回転することでコンパクトにできるようにした送風式薬剤放散装置。【選択図】図１
2008199970.tif 000002
【特許請求の範囲】
【請求項１】
吸込口１１と吐出口１２を有した装置本体１にファン１３と薬剤１４を設け、そのファン１３を駆動することで薬剤を含有した空気を吐出口１２から吐出する送風式の薬剤放散部と、
流入口２０と流出口２１を有した長尺で扁平な放出体２を備え、
前記装置本体１の長手方向端部と前記放出体２の長手方向端部を連結手段３で、その放出体２が直線状姿勢、横向姿勢、格納姿勢に亘って回転自在に連結し、
前記放出体２が直線状姿勢、横向姿勢の時には薬剤を含有した空気を、前記装置本体１と離隔した位置の流出口２１から放出し、
前記放出体２が格納姿勢の時には薬剤を含有した空気を、前記装置本体１の近傍から放出するようにしたことを特徴とする送風式薬剤放散装置。
【請求項２】
連結手段３は、装置本体１の吐出口１２と放出体２の流入口２０を常時連通する形状である請求項１記載の送風式薬剤放散装置。
【請求項３】
連結手段３は、放出体２が直線状姿勢、横向姿勢の時には薬剤を含有した空気が放出体２の流出口２１からのみ放出され、放出体２が格納姿勢の時には薬剤を含有した空気を連結手段３のみから放出する形状である請求項１記載の送風式薬剤放散装置。
【請求項４】
連結手段３は、放出体２が直線状姿勢、横向姿勢の時には薬剤を含有した空気が放出体２の流出口２１及び連結手段３から放出し、放出体２が格納姿勢の時に薬剤を含有した空気を連結手段３のみから放出する形状である請求項１記載の送風式薬剤放散装置。
【発明の詳細な説明】
【技術分野】
【０００１】
本発明は、芳香、消臭、害虫防除、防黴防菌などの目的で使用される送風式薬剤放散装置に関する。
【背景技術】
【０００２】
従来から種々の送風式薬剤放散装置が提案されている。
例えば、特許文献１，２に記載された送風式薬剤放散装置が提案されている。
前述の特許文献１に記載された送風式薬剤放散装置は、チャンバ内に薬剤保持体とファンを設け、そのファンを駆動することで吸気口からチャンバ内に外気を取り入れ、薬剤（害虫防除成分）を含んだ空気を排気口から外部に放出するようにしてある。
前述の特許文献２に記載された送風式薬剤放散装置は、縦長で薄い扁平の容器内に、薬剤パネルとファンを設け、そのファンを駆動することで吸込口から空気を容器内に吸い込み、薬剤を含む空気を吹き出し口から容器外に放出するようにしてある。
【０００３】
【特許文献１】特開２００１−１９７８５６号公報
【特許文献２】登録実用新案公報第３０４０５１３号
【発明の開示】
【発明が解決しようとする課題】
【０００４】
前述した送風式薬剤放散装置を居住空間で使用する場面として、台所、居間、寝室など居室空間の全体処理による使用と、限られた部分の局所処理による使用に大別される。
前記局所処理場面として、害虫防除について、害虫が生息している場所、害虫による被害場所、例えばゴキブリ、アリなどの匍匐害虫の好む住処である暗くて湿気の多い場所（流しの排水溝など）、暗くて狭い場所（冷蔵庫、食器棚、レンジなどと床面との空間、壁面との空間、侵入口である穴など）などが挙げられる。
また、害虫個体や害虫集団、例えば蚊、ハエなどの飛翔害虫やゴキブリ、アリなどの匍匐害虫に向かって直接処理する、なども挙げられる。
【０００５】
前述した特許文献１に開示された送風式薬剤放散装置は、全体処理による使用に適するが、局所処理による使用には適さない。特に、狭い空間の処理による使用には適さない。
すなわち、特許文献１に開示した送風式薬剤放散装置のチャンバは幅広く、高い大きさであるから、狭い空間に挿入することができないので、狭い空間に薬剤を効率良く放散することができない。
【０００６】
前述した特許文献２に開示された送風式薬剤放散装置は、容器が縦長で薄い扁平であるから、狭い空間に容器を挿入して薬剤を効率良く放散することができ、前述した局所処理による使用ができる。
しかし、容器内に電池室、制御室、また薬剤パネル、ファンや外気通過路の空間を有し、その容器を薄くする（高さ寸法を小さくする）には限度があり、より狭い空間に容器を挿入できないので、局所処理による使用に十分対応できない。
また、容器が縦長で、吹き出し口は容器の長手方向に向かっているので、薬剤を含む空気は容器の長手方向に向けて放出されることになり、容器の長手方向と異なる方向に薬剤を含む空気を放出できない。
このために、幅狭い空間の奥からその空間の幅方向に連続した狭い空間に容器を挿入できないので、その狭い空間に薬剤を放散することができない。
例えば、流し台と冷蔵庫との間の幅狭い空間の奥から冷蔵庫と床との間の狭い空間（上下寸法の小さな空間）に薬剤を放散することができない。
また、容器が縦長であるから細長い設置スペースが必要で、前述した全体処理による使用には適さない。
また、容器が縦長で大きいので持ち運びや保管が面倒である。
【０００７】
本発明の目的は、全体処理による使用と局所処理による使用の両方に適していると共に、局所処理による使用に十分対応でき、幅狭い空間の奥からその空間の幅方向に連続した狭い空間に薬剤を放散でき、しかもコンパクトにして持ち運びや保管を容易にできるようにした送風式薬剤放散装置とすることである。
【課題を解決するための手段】
【０００８】
第１の発明は、吸込口１１と吐出口１２を有した装置本体１にファン１３と薬剤１４を設け、そのファン１３を駆動することで薬剤を含有した空気を吐出口１２から吐出する送風式の薬剤放散部と、
流入口２０と流出口２１を有した長尺で扁平な放出体２を備え、
前記装置本体１の長手方向端部と前記放出体２の長手方向端部を連結手段３で、その放出体２が直線状姿勢、横向姿勢、格納姿勢に亘って回転自在に連結し、
前記放出体２が直線状姿勢、横向姿勢の時には薬剤を含有した空気を、前記装置本体１と離隔した位置の流出口２１から放出し、
前記放出体２が格納姿勢の時には薬剤を含有した空気を、前記装置本体１の近傍から放出するようにしたことを特徴とする送風式薬剤放散装置である。
【０００９】
第２の発明は、第１の発明において、連結手段３は、装置本体１の吐出口１２と放出体２の流入口２０を常時連通する形状である送風式薬剤放散装置である。
【００１０】
第３の発明は、第１の発明において、連結手段３は、放出体２が直線状姿勢、横向姿勢の時には薬剤を含有した空気が放出体２の流出口２１からのみ放出され、放出体２が格納姿勢の時には薬剤を含有した空気を連結手段３のみから放出する形状である送風式薬剤放散装置である。
【００１１】
第４の発明は、第１の発明において、連結手段３は、放出体２が直線状姿勢、横向姿勢の時には薬剤を含有した空気が放出体２の流出口２１及び連結手段３から放出し、放出体２が格納姿勢の時に薬剤を含有した空気を連結手段３のみから放出する形状である送風式薬剤放散装置である。
【発明の効果】
【００１２】
請求項１に係る発明によれば、放出体２を格納姿勢とすることで全体がコンパクトで、薬剤を含有した空気が装置本体１の近傍から放出されるから、小さな設置スペースで良く、全体処理による使用に適している。
また、放出体２を直線状姿勢とすれば、その放出体２を狭い空間に挿入して薬剤を効率良く放散できるので、局所処理による使用に適している。
また、放出体２を、狭い空間に対応して薄く（高さ寸法を小さく）できるので、局所処理による使用に十分に対応できる。
また、放出体２を横向姿勢とすれば、幅狭い空間に装置本体１を置き、その空間の幅方向に連続した狭い空間に放出体２を挿入して薬剤を放散できる。
【００１３】
したがって、全体処理による使用と局所処理による使用の両方に適していると共に、局所処理による使用に十分対応でき、幅狭い空間の奥からその空間の幅方向に連続した狭い空間に薬剤を放散できる。
しかも、コンパクトにして持ち運びや保管を容易にできる。
【００１４】
請求項２に係る発明によれば、薬剤を含有した空気を常時放出体２の流出口２１から放出することができる。
【００１５】
請求項３に係る発明によれば、放出体２が格納姿勢の時には薬剤を含有した空気は連結手段３のみから放出され、放出体２内を流れることがないので、その空気に含有した薬剤のほぼ全量を外部に放散でき、効率良く薬剤を放散できる。
【００１６】
請求項４に係る発明によれば、放出体２が直線状姿勢、横向姿勢の時には、薬剤を含有した空気を放出体２の流出口２１及び連結手段３から放出でき、放出体２が格納姿勢の時には薬剤を含有した空気を連結手段３のみから放出できる。
したがって、局所処理による使用の際には狭い空間に薬剤を放散しながら、その狭い空間と隣接した空間にも薬剤を放散できるし、全体処理による使用の際にも薬剤を効率良く放散できる。
【発明を実施するための最良の形態】
【００１７】
本発明の第１の実施の形態を図１、図２に基づいて説明する。
装置本体１の長手方向端部に放出体２の長手方向端部が連結手段３で縦軸回りに回転自在に連結されている。
例えば、放出体２は実線で示すように装置本体１と長手方向にほぼ直線状となった直線状姿勢と、１点鎖線で示す装置本体１の長手方向とほぼ直角となった横向姿勢と、２点鎖線で示す装置本体１と重なり合った格納姿勢とに亘って３６０度の範囲で回転自在に連結されている。
【００１８】
前記装置本体１は空気流通路１０を有し、その空気流通路１０は吸込口１１と吐出口１２で外部に開口し、ファン１３を駆動することで吸込口１１から空気を吸い込み、吐出口１２から吐出する。
前記装置本体１には薬剤１４が設けてあり、前述のファン１３を駆動することで空気流通路１０を流通する空気が薬剤１４に触れて薬剤（有効成分）を含有した空気として吐出口１２から吐出する。
要するに、装置本体１にファン１３と薬剤１４を設けることで送風式の薬剤放散部としてある。
前記放出体２は長尺で扁平な筒形状で、流入口２０と流出口２１を連通する流路２ａを有している。
【００１９】
前記連結手段３は装置本体１と放出体２を回転自在に連結すると共に、前記吐出口１２と流入口２０を連通する。
例えば、吐出口１２に鍔付きの筒体１５を回転自在に嵌合し、この筒体１５を流入口２０に嵌合して固定することで、放出体２が筒体１５とともに装置本体１に対して回転すると共に、筒体１５で吐出口１２と流入口２０が連通するようにする。
要するに、連結手段３は装置本体１と放出体２を回転自在に連結すると共に、薬剤を含有した空気が放出体２に流通するものである。
【００２０】
このようであるから、放出体２を実線で示す直線状姿勢としてファン１３を駆動することで、薬剤を含有した空気は装置本体１の吐出口１２から放出体２の流入口２０に流入し、その放出体２の流出口２１から外部に放散されるから、装置本体１から遠く離れた位置（流出口２１）から薬剤を外部に放散することができ、局所処理による使用に適する送風式薬剤放散装置である。
例えば、冷蔵庫、食器棚、レンジなどの物と床面との間の上下寸法の小さな狭い空間、前記物と壁面との間の左右寸法の小さな狭い空間に、放出体２を挿入して、その狭い空間の奥に向けて薬剤を含有した空気を放出することで、その狭い空間に薬剤を効率良く放散することができる。
また、放出体２は空気が流通するだけであるから、その放出体２を狭い空間に対応して薄く（高さ寸法を小さく）できるので、局所処理による使用に十分対応できる。
【００２１】
また、放出体２を１点鎖線で示す横向姿勢とすれば、薬剤を含有した空気を装置本体１の長手方向と直角方向に放出できるので、幅狭い空間の奥からその空間の幅方向に連続した狭い空間に薬剤を放散できる。
例えば、図３に示すように流し台Ａと冷蔵庫Ｂとの間の幅狭い空間Ｃに装置本体１を長手方向に向けて設置し、放出体２を横向姿勢として冷蔵庫Ｂと床との間の狭い空間に挿入することで、その狭い空間に放出体２で薬剤を放散することができる。
【００２２】
また、放出体２を２点鎖線で示すように格納姿勢としてファン１３を駆動することで、薬剤を含有した空気は放出体２の流出口２１から放出し、装置本体１の周囲から外部に放散される。
しかも、装置本体１と放出体２が重なり合い、全長が短く、設置スペースを小さくできる。
これらが相俟って、全体処理による使用に適する送風式薬剤放散装置である。
例えば、居室空間のテーブル等の上に置いて居室空間全体に薬剤を放散して居室空間の全体処理に使用する際に、その薬剤を居室空間の全体に効率良く放散することができる。
【００２３】
また、前述のように装置本体１に対して放出体２を格納姿勢とすることで、装置全体がコンパクトになり、持ち運びや保管を容易にできる。
【００２４】
この実施の形態では、前記装置本体１の上面１ａに吸込口１１が開口して空気吸込面を装置本体１の上面１ａとし、上面１ａ側から空気を吸い込むようにしてある。
前記放出体２は装置本体１の下面１ｂ側に重なり合うようにして格納姿勢となるようにしてある。
このようであるから、装置本体１に対して放出体２が格納姿勢の時に、吸込口１１から空気を吸い込む際に放出体２が邪魔にならずに吸込口１１からスムーズに空気を吸い込むことができる。
また、放出体２の流出口２１から放出した薬剤を含有した空気は装置本体１の下面１ｂに沿って上方に放散する。
【００２５】
この実施の形態の連結手段３は、放出体２が３６０度の範囲で回転する時に吐出口１２と流入口２０を常時連通し、放出体２が格納姿勢の時にも流出口２１から薬剤を含有した空気を外部に放出するようにしたが、これに限ることはなく、放出体２を格納姿勢とした時には吐出口１２から直接に薬剤を含有した空気を外部に放出するようにしても良い。
例えば、図４と図５に示すように装置本体１の吐出口１２の周縁に筒体３０を設け、放出体２の流入口２０側に筒状部３１を設け、この筒状部３１を前記筒体３０の外周面に回転自在に嵌合する。
前記筒状部３１の内周面に円弧状の切欠溝３２を形成し、この切欠溝３２と筒体３０の外周面との間に円弧状の流路３３を形成する。
この流路３３を流入口２０に連通する。
前記筒体３０の一部分を切欠きして補助吐出口３４とし、放出体２の筒状部３１の流入口２０と反対側に補助流出口３５を形成する。
【００２６】
前記放出体２が図４、図５に示す格納姿勢の時には補助吐出口３４と補助流出口３５が連通し、かつ補助吐出口３４と流路３３が遮断するようにしてある。
これによって、吐出口１２から吐出した薬剤を含有した空気は補助吐出口３４、補助流出口３５から外部に直接放出される。
【００２７】
前述の図４、図５に示す状態から放出体２を回転して横向姿勢、直線状姿勢とすると、補助吐出口３４と流路３３が連通し、かつ補助吐出口３４と補助流出口３５が遮断する。
これによって、吐出口１２から吐出した薬剤を含有した空気は放出体２の流出口２１から外部に放出する。
【００２８】
このようにすれば、放出体２が格納姿勢の時には、薬剤を含有した空気は放出体２を流通せずに装置本体１の吐出口１２から外部に直接放散され、その薬剤を含有した空気が流通する経路が短く、その空気に含有した薬剤が経路に付着することがなく、外部に放散する薬剤の量が少なくなることがなく、ほぼ全量の薬剤を外部に放散することが可能である。
【００２９】
要するに、本発明においては、放出体２を格納姿勢とした時に薬剤を含有した空気は装置本体１の近傍から外部に放散するようにしてある。
【００３０】
次に、各部の具体形状を説明する。
前記装置本体１は、上面板１６と下面板１７と一対の側面板１８と一対の端面板１９で扁平な矩形箱形状で、上面板１６に吸込口１１が形成してあると共に、下面板１７に吐出口１２が形成してある。
前記装置本体１内は仕切壁１ｃでファン収容室１ｄと電池収容室１ｅに区画され、そのファン収容室１ｄにファン１３と、そのファン１３を駆動するモータ１３ａが設けてある。
前記電池収容室１ｅには電池１ｆが設けられ、この電池１ｆによってファン１３が駆動される。
前記ファン収容室１ｄが吸込口１１と吐出口１２に開口連通して前述の空気流通路１０を形成している。
前記装置本体１の下面１ｂには支持脚１ｇが設けられ、放出体２を直線状姿勢とした時に装置本体１を安定して支持できるようにしてある。
例えば、電池収容室１ｅのカバー１７ａに下向片を設けて支持脚１ｇとしてある。
【００３１】
前記薬剤１４はプレート状の薬剤含浸体１４ａに含浸され、その薬剤含浸体１４ａの外周にリング体１４ｂが設けてある。
前記上面板１６の吸込口１１の周囲に沿って薬剤取付部１６aが形成され、この薬剤取付部１６ａに薬剤１４を取付けてある。
【００３２】
前記放出体２は流入口２０側の幅が狭く、流出口２１側の幅が広くしてあるので、その流出口２１から幅広い領域に薬剤を含有した空気を放散できる。
前記放出体の高さは装置本体１の高さよりも低い。
前記放出体２の平面形状は長手方向全長に亘って幅狭いもの、流出口２１側が幅狭いものでも良く、このようにすれば、流出口２１の開口面積が流入口２０の開口面積よりも小さくなるので、薬剤を含有した空気を１ヶ所に向けて集中的に放出することができ、害虫個体などの標的に向けて薬剤を確率良く放散できる。
【００３３】
前記放出体２を装置本体１に着脱自在に取付けても良い。
例えば、図２において、筒体１５を装置本体１の吐出口１２に嵌合、抜き出し自在とする。
このようにすれば、放出体２を前述した種々の形状のものを順次し、使用目的に応じた形状の放出体２を取付けて使用できる。
【００３４】
次に、本発明の第２の実施の形態を図６、図７に基づいて説明する。
この実施の形態は、装置本体１の上面１ａに放出体２を回転自在に取付けたことが、前述の実施の形態と相違し、他の構成は同様である。
前記装置本体１の上面１ａに吸込口１１と吐出口１２を形成する。
前記吐出口１２の周縁に筒体１５を設け、放出体２の流入口２０の周縁に筒体２２を設け、この筒体２２を前記筒体１５に回転自在に嵌合して前述の連結手段３としてある。
これによって、放出体２が装置本体１の上面１ａに回転自在に取付けられ、実線で示す格納姿勢と、１点鎖線で示す横向姿勢と、２点鎖線で示す直線状姿勢に回転する。
【００３５】
前記筒体１５と筒体２２とには相互に嵌まり合う環状突部１５ａと環状凹部２２ａが形成してあると共に、筒体１５にはスリット１５ｂが形成されて周方向に弾性的に収縮変形するようにしてある。
これによって、放出体２の筒体２２を装置本体１の筒体１５に嵌め込んで強く押し込むと、筒体１５が収縮変形して環状凹部２２ａが環状突起１５ａに嵌合して回転自在に取付けられる。
また、放出体２を強い力で上方に引っ張ることで筒体２２が筒体１５から外れる。
したがって、放出体２を装置本体１に簡単に取付け、取り外しできる。
【００３６】
前記放出体２を格納姿勢とした時に、放出体２が薬剤１４の上方に位置するので、放出体２で薬剤１４を保護することができる。
また、放出体２と薬剤１４の上面１４ｃとの間に隙間Ｓを形成し、この隙間Ｓを通して空気が薬剤１４を通過して吸込口１１に吸い込みされるようにする。
前記隙間Ｓとして、放出体２の下面（薬剤１４との対面位置）に凹凸、溝、段差などを設けても良い。一方、放出体２の横幅を狭くした場合は、薬剤１４の両側が外気に晒されているので必ずしも隙間を設けなくても良い。
【００３７】
前記放出体２の流出側の端面２ｂは、ほぼＵ字形状に凹んでいる。
これによって、放出体２が壁面Ｄの近くに位置する場合に、矢印で示すように壁面Ｄから離れる方向に流れるので、薬剤を含有した空気が壁面Ｄに触れないようにして上方に放散することができる。
【００３８】
この実施の形態においても放出体２の平面形状は、前述のように任意の形状とすることができる。
また、連結手段３を前述の図４、図５に示すものを上下反転した形状とし、放出体２が格納姿勢の時に薬剤を含有した空気が放出体２の内部を流れることなしに、吐出口１２から直接に外部に放出するようにしても良い。
また、放出体２の筒体２２を装置本体１の筒体１５の内周面に嵌合するようにしても良い。
【００３９】
また、連結手段３の形状は任意のものとすることができる。
例えば、図８に示すように、吐出口１２に、上面が閉塞された段付き筒体３６を嵌合して取付け、放出体２の上面２ｃと下面２ｄとに孔２３をそれぞれ形成し、その孔２３を段付き筒体３６の上部に嵌合して段部３６ａに当接して回転自在とし、その段付き筒体３６に放出体２の流路２ａに開口する孔３６ｂを形成する。
前記段付き筒体３６の放出体２の上面２ｃよりも突出した部分にリング３７、例えばスナップリングを取付けて連結手段３とする。
このようにすれば、リング３７を外すことで放出体２を取り外しできるので、前述したように異なる放出体２と簡単に交換できる。
【００４０】
前記連結手段３は図９に示すように、装置本体１の吐出口１２の周縁に設けた筒体１５に放出体２の孔２３を嵌合し、この筒体１５に放出体２の流路２ａに開口した孔１５ｃを形成する。
前記筒体１５の放出体２の上面２ｃから突出した部分にキャップ３８を着脱自在に取付けて筒体１５の上部開口を閉塞すると共に、放出体２が抜け出ないように保持する。
このようにすれば、キャップ３８を外すことで放出体２を取り外しできる。
【００４１】
前記連結手段３は図１０、図１１に示すようにしても良い。前記装置本体１の吐出口１２に上壁を有する筒体４０を嵌合して取付け、放出体２の流入口２０の周縁に筒体２５を設け、この筒体２５を前記筒体４０に嵌合して上壁４０ａに放出体２の流路２ａの上内面２６を当接して回転自在とする。
前記筒体４０の上部を切欠きして補助吐出口４１とし、放出体２の前記上内面２６に補助流出口２７を形成する。
【００４２】
前記放出体２が図１０に示すように、直線状姿勢の時には、補助吐出口４１が流路２ａに連通し、かつ補助吐出口４１が補助流出口２７と遮断するようにする。
これによって、薬剤を含有した空気は放出体２の流路２ａを通って流出口２１から外部に嵌合する。
【００４３】
前記放出体２が図１１に示すように格納姿勢の時には、補助吐出口４１が補助流出口２７に連通し、かつ補助吐出口４１と流路２ａが遮断するようにする。
これによって、薬剤を含有した空気は放出体２の流路２ａを通らずに補助流出口２７から直接に外部に放出される。
【００４４】
なお、前述の連結手段３において、図１２に示す本発明の第３の実施の形態のように、放出体２が直線状姿勢の時に補助吐出口４１が流路２ａと補助流出口２７にそれぞれ連通するようにすれば、薬剤を含有した空気を放出体２の流出口２１及び連結手段３の補助流出口２７から外部にそれぞれ放出することができる。
【００４５】
前記連結手段３は図１３〜図１５に示すようにしても良い。
前記装置本体１の吐出口１２の周縁に筒体４２を設け、放出体２の流入口２０の周縁に筒体４３を設け、この筒体４３を前記筒体４２に回転自在に嵌合して放出体２を回転自在に取付ける。
前記放出体２の流入口２０側に、流路２ａと流入口２０に連通した円形凹部４４を形成し、この円形凹部４４と前記筒体４２の上面との間に空気流入室４５を形成する。
前記放出体２に、その円形凹部４４を外部に開口する補助流出口４６を形成する。
この補助流出口４６は流路２ａと反対側に形成してある。
【００４６】
前記放出体２が図１４に示す直線状姿勢、横向姿勢の時には、空気流入室４５が流路２ａと補助流出口４６にそれぞれ連通するようにしてある。
これによって、薬剤を含有した空気は放出体２の流出口２１及び補助流出口４６から外部に放出される。
【００４７】
前記、放出体２が図１５に示す格納姿勢の時には、空気流入室４５が補助流出口４６に連通し、かつ空気流入室４５と流路２ａが遮断するようにしてある。
これによって、薬剤を含有した空気は補助流出口４６のみから外部に放出される。
【００４８】
要するに、この実施の形態の連結手段３は、放出体２が格納姿勢の時には薬剤を含有した空気を連結手段３からのみ外部に放出し、放出体２が横向姿勢、直線状姿勢の時には薬剤を含有した空気を放出体２の流出口２１及び連結手段３から外部に放出できるものである。
このようにすることで、放出体２を直線状姿勢、横向姿勢として狭い空間に薬剤を放散している時に、装置本体１の周辺にも薬剤を放散できる。
【００４９】
この実施の形態では、装置本体１の上面１ａを凹凸のない平坦な面とし、ファン１３と対向した部分にスリット状の吸込口１１を形成する。
そして、放出体２を格納姿勢とした時に、図１５に示すように装置本体１の上面１ａと放出体２の下面２ｄとの間に隙間Ｓを形成し、この隙間Ｓを通して空気を吸い込むようにしてある。
前記隙間Ｓとして、放出体２の下面（薬剤１４との対面位置）に凹凸、溝、段差などを設けても良い。一方、放出体２の横幅を狭くした場合は、薬剤１４の両側が外気に晒されているので必ずしも隙間を設けなくても良い。
【００５０】
前述した各装置本体１の電池収容室１ｅについて、ファン収容室の側面（吐出側の反対面）に電池収容室、電池１ｆを並列に収容したが、これに限定されず電池を縦に重ねても良いし、また電池収容室をファン収容室の両側、あるいは下面（吸込み側の反対面）に設けることもできる。
前述した各放出体２の長さについて、装置本体の長手方向寸法にほぼ同じとしたが、これに限定されず電池収容室までと長さを短くしても良く、装置本体内に納まる寸法が使い勝手が良く好ましい。
【００５１】
この実施の形態では、薬剤１４が前述したようにファン１３に取付けてあり、ファン１３とともに薬剤１４が回転するようにしてある。
前記薬剤１４のファン１３への取付けとして、薬剤１４をファン１３の表面上に取付ける、薬剤１４をファン１３の内周面や外周面に取付ける、またはファン１３をモータから取り外して、そのファン１３に薬剤１４を取付けて再びモータに取付ける、などが挙げられる。また、薬剤を含有したファンとしてモータに取付けるようにもできる。
また、装置本体１の上面１ａにはファン収容室１ｄと電池収容室１ｅに開口した開口部４７が形成され、この開口部４７を蓋体４８で開閉自在としてある。
これによって、蓋体４８を外すことで薬剤１４、電池１ｆを交換できる。
【図面の簡単な説明】
【００５２】
【図１】本発明の第１の実施の形態を示す放出体が直線状姿勢の時の平面図である。
【図２】本発明の第１の実施の形態を示す放出体が直線状姿勢の時の断面図である。
【図３】使用状態の概略説明図である。
【図４】連結手段の第２の実施の形態の断面図である。
【図５】図４のＡ−Ａ断面図である。
【図６】本発明の第２の実施の形態を示す放出体が格納姿勢の時の平面図である。
【図７】本発明の第２の実施の形態を示す放出体が格納姿勢の時の断面図である。
【図８】連結手段の第３の実施の形態を示す断面図である。
【図９】連結手段の第４の実施の形態を示す断面図である。
【図１０】連結手段の第５の実施の形態を示す放出体が直線状姿勢の時の平面図である。
【図１１】連結手段の第５の実施の形態を示す放出体が直線状姿勢の時の断面図である。
【図１２】連結手段の第６の実施の形態を示す断面図である。
【図１３】本発明の第３の実施の形態を示す放出体が直線状姿勢の時の平面図である。
【図１４】本発明の第３の実施の形態を示す放出体が直線状姿勢の時の断面図である。
【図１５】本発明の第３の実施の形態を示す放出体が格納姿勢の時の断面図である。
【符号の説明】
【００５３】
１…装置本体、１ａ…上面、１ｂ…下面、２…放出体、２ａ…流路、３…連結手段、１１…吸込口、１２…吐出口、１３…ファン、１４…薬剤、２０…流入口、２１…流出口。
【図１】
2008199970.tif 000003
【図２】
2008199970.tif 000004
【図３】
2008199970.tif 000005
【図４】
2008199970.tif 000006
【図５】
2008199970.tif 000007
【図６】
2008199970.tif 000008
【図７】
2008199970.tif 000009
【図８】
2008199970.tif 000010
【図９】
2008199970.tif 000011
【図１０】
2008199970.tif 000012
【図１１】
2008199970.tif 000013
【図１２】
2008199970.tif 000014
【図１３】
2008199970.tif 000015
【図１４】
2008199970.tif 000016
【図１５】
2008199970.tif 000017